(57)【要約】【課題】郵便封筒に広告業者の広告を付与し、広告業者に広告料金を課金することにより、郵便送付者が納める郵便コストを低く設定する郵便システム提供する。【解決手段】上記目的を達成するため、郵便封筒に付与される広告の情報に基づいて、広告料金と切手料金を決定する料金設定手段７と、料金設定手段７から得られる広告料金と切手料金の情報からバーコード情報と切手料金情報を作成する暗号設定手段８と、広告及びバーコード情報及び切手料金情報を郵便封筒に付与する印刷機６又は広告及びバーコード情報が付与された郵便封筒を発行する手段１０と、郵便封筒に付与されているバーコード情報をスキャンして読み取る読取器３と、読取器３で読み取られたバーコード情報と対応する広告料金を課金させる課金手段とを備える。【選択図】図１
2008243160.tif 000002
【特許請求の範囲】
【請求項１】
郵便封筒に付与される広告の情報に基づいて、広告料金と切手料金を決定する料金設定手段と、前記料金設定手段から得られる前記広告料金と前記切手料金の情報からバーコード情報と切手料金情報を作成する暗号設定手段と、前記広告及び前記バーコード情報及び前記切手料金情報を前記郵便封筒に付与する印刷機又は前記広告及び前記バーコード情報が付与された前記郵便封筒を発行する手段と、前記郵便封筒に付与されている前記バーコード情報をスキャンして読み取る読取器と、前記読取器で読み取られた前記バーコード情報と対応する前記広告料金を課金させる課金手段とを備えることを特徴とする郵便システム。
【発明の詳細な説明】
【技術分野】
【０００１】  本発明は、郵便封筒に付与される広告の種類によって広告費用を課金する郵便システムに関する。
【背景技術】
【０００２】  従来、郵便封筒に切手を貼り付け、郵便業者に郵便物を届けることにより、郵便番号と住所などの情報に基づき、郵便封筒に記載されている宛先へ郵便物が送付されていた。また、郵便封筒にバーコードを付与し、付与されたバーコードを読み取り、バーコードの読み取り結果により、郵便物の区分制御を行い、保管所に郵便物を送る郵便システムがある。（例えば、特許文献１）。
【特許文献１】特開平８−１５５３９７号
【発明の開示】
【発明が解決しようとする課題】
【０００３】  しかし、郵便封筒には切手が貼り付けなければならないため、郵便物を送る度に切手料金を支払わなくてはならない。例えば、多量に郵便物を送る送付者にとっては、郵便物毎に支払う切手料金などにより郵便コストが高くなってしまう。
本発明は、郵便封筒に広告業者の広告を付与し、広告業者に広告料金を課金させることにより、郵便送付者が納める郵便コストを低く設定することを目的とする。
【課題を解決するための手段】
【０００４】  上記目的を達成するため、郵便封筒に付与される広告の情報に基づいて、広告料金と切手料金を決定する料金設定手段と、前記料金設定手段から得られる前記広告料金と前記切手料金の情報からバーコード情報と切手料金情報を作成する暗号設定手段と、前記広告及び前記バーコード情報及び前記切手料金情報を前記郵便封筒に付与する印刷機又は前記広告及び前記バーコード情報が付与された前記郵便封筒を発行する手段と、前記郵便封筒に付与されている前記バーコード情報をスキャンして読み取る読取器と、前記読取器で読み取られた前記バーコード情報と対応する前記広告料金を課金させる課金手段とを備える。
【発明の効果】
【０００５】  本発明により、郵便封筒に広告業者の広告を付与し、広告業者に広告料金を課金させることにより、郵便送付者が納める郵便コストを低く設定することができる。
【発明を実施するための最良の形態】
【０００６】  本発明の第１の実施形態を図１〜図３を用いて説明する。図１に示される本発明の郵便システムは、郵便物の郵便封筒２に付与されているバーコードなどをスキャンして読み取る読取器３と、読み取ったバーコード情報に基づいて郵便料金を受け取る郵便業者ＰＣ４と、郵便封筒２に付与する広告などを設定する広告業者ＰＣ５と、郵便封筒２に広告、バーコード及び切手料金情報を付与するプリンタ６又はバーコード及び切手料金情報を付与した葉書・封筒作成する葉書・封筒作成手段１０と、郵便封筒２に付与する広告の種類に応じて広告料金と切手料金情報を設定する料金設定手段７と、広告料金に応じてバーコード情報を設定する暗号設定手段８と、広告業者ＰＣ５と郵便業者ＰＣ４の入出金を管理するインターネットバンク９とから構成されている。なお、１は郵便業者内の装置である。図２に、郵便封筒２の具体例１を示す。郵便封筒２には、切手２３や郵便番号や住所などの宛先の他にバーコード２１と広告２２が付与されている。図３に、郵便封筒２の具体例２を示す。郵便封筒２には、広告２２内にバーコード２４とが付与されている。広告２２内にバーコードを付与することにより、バーコード２１のみを用いて郵便封筒２を送付する等の不正を防止することができる。なお、広告２２自体をバーコードとしてみなしてもよい。【０００７】  ここで、本発明を具体的に説明する。まず、広告業者ＰＣ５は、郵便封筒２に付与する広告２２を決定する。ここでいう広告２２とは、新製品の紹介や特売情報や会社アピールなどの宣伝情報である。広告業者ＰＣ５において、広告２２の具体例が決まったら、郵便業者ＰＣ４に連絡する。郵便業者ＰＣ４は、郵便封筒２に付与される広告２２の情報を入手する。【０００８】  料金設定手段７は、郵便業者ＰＣ４から得られる広告２２の情報に基づいて郵便封筒２の郵便料金として課金する広告料金と切手料金を決定する。ここでは、広告の大きさに応じて課金するものとする。【０００９】  暗号設定手段８は、料金設定手段７から得られる広告料金の情報からバーコード情報と切手料金情報を作成する。バーコード情報には、広告料金、広告業者名、広告の種類が含まれている。このバーコード情報と切手料金情報は、郵便業者ＰＣ４と広告業者ＰＣ５に送られる。【００１０】  広告業者ＰＣ５は、暗号設定手段７からバーコード情報を受け取り、バーコード情報から広告料金、広告業者名、広告の種類を郵便業者ＰＣ４に送った広告２２と照らし合わせて確認する。バーコード情報の確認ができたら、パーコード情報と切手料金情報をプリンタ６又は葉書・封筒作成手段１０に送る。プリンタ６はパーコード情報に基づいてバーコード２１及び広告２２、切手料金２３を郵便封筒２に印刷する。若しくは、葉書・封筒作成手段１０は、バーコード２１及び広告２２が付与された葉書又は封筒を作成する。【００１０】  例えば、葉書・封筒作成手段１０により、バーコード２１と広告２２が付与された郵便封筒２は、広告業者、郵便業者、コンビニエンスストア、新聞の折り込み、フリーペーバー、インターネットなどで一般に配布される。また、インターネットを介して郵便封筒２を配信する場合、プリンタ６でのプリントアウト前のデータが郵便送付者のＰＣに配信される。郵便送付者は、ＰＣから各自保有するプリンタを用いてプリントアウトを行なう。プリントアウトされた紙には、折りこみ線やのりしろなどが付与されており、所定の手順に沿ってのり付けすると郵便封筒２が作成できるようになっている。【００１１】  郵便物を送りたい郵便送付者は、この郵便封筒２に郵便物を収め、広告２２の広告料金によって割り引かれて設定された切手料金分の切手を貼り、郵便物が収められた郵便封筒２を郵便業者に送る。【００１２】  郵便業者に送られた郵便封筒２は、郵便業者１内の読取器３により、バーコード２１がスキャンしてバーコード情報が読み取られる。また、読取器３は、郵便封筒２に記載された郵便番号や住所などを読み取るとともに、郵便封筒２の仕分けを行なうこともできる。【００１３】  広告業者ＰＣ５からの広告料金、広告業者名、広告の種類が含まれているバーコード情報が送られている郵便業者ＰＣ４は、読取器３によって読み取られたバーコード情報と広告業者からのバーコード情報を照合する。郵便業者ＰＣ４によってバーコード情報の照合ができたら、バーコード情報に対応する広告料金を広告業者に請求する。【００１４】  具体的には、郵便業者ＰＣ４は、インターネットバンク９の所定の口座に請求する。予め広告業者ＰＣ５は、広告料金をインターネットバンク９の所定の口座に納めている場合、広告料金に応じて自動的に引き落とされるようになっている。広告業者ＰＣ５は、広告料金をインターネットバンク９の所定の口座に納めていない場合、郵便業者ＰＣ４から広告料金を振り込むようＥメールが自動的に送られる。なお、Ｅメールアドレスは郵便業者ＰＣ４と広告業者ＰＣ５間で予め連絡されているものとする。【００１５】  課金の具体例を図４を用いて説明する。図４は、通常の郵便料金が６０円掛かる郵便物を送付する場合を示す図である。【００１６】  郵便封筒２には、広告２２と広告２２により３０円（半額）に割り引かれた切手料金２３に記載されている。郵便送付者３２は、郵便封筒２に郵便物を納付し、切手３０円分添付し、郵便業者３０に郵便封筒２を送付することにより、郵便封筒に記載されている宛先に郵便物を送付することができる。よって、郵便送付者３２は、切手料金を半額に節約することができる。【００１７】  広告業者３１は、広告費用として５０円納付することにより、１郵便当たり１広告宣伝を行なうことができる。よって、広告業者３１は、新製品の紹介や特売情報や会社アピールなどの宣伝情報を間接的に郵便送付者や郵便受取者に知らせることにより、新製品の紹介や特売情報や会社アピールなどの宣伝効果を期待できる。【００１８】  また、郵便業者３２は、通常の郵便料金が６０円掛かる郵便物を８０円で郵送させることができるため、売上を１０％以上伸ばすことができる。【００１９】  なお、ここでは、郵便送付者３２が負担する切手料金２３を３０円（半額）としたが、無料であってもよい。【００２０】  郵便送付者３２にとっては、切手料金を節約することができ、広告業者３１とっては、宣伝効果を期待でき、郵便業者３２にとっては、売上を伸ばすことができるというように、お互い郵便システムの恩恵を受けることができる。
【図面の簡単な説明】
【００２１】
【図１】本発明を説明するためのブロック図である。
【図２】本発明の郵便封筒２を示す図である。
【図３】本発明の郵便封筒２を示す図である。
【図４】本発明の課金の流れを示す図である。
【符号の説明】
【００２２】  １  郵便業者、２  郵便封筒、３  読取器、４  郵便業者ＰＣ、５  広告業者ＰＣ、６  プリンタ、７  料金設定手段、８  暗号設定手段、９  インターネットバンク
【図１】
2008243160.tif 000003
【図２】
2008243160.tif 000004
【図３】
2008243160.tif 000005
【図４】
2008243160.tif 000006